(57)【要約】【課題】使用者が火傷をすることのない低コストな給水システムを実現することを目的とする。【解決手段】水が供給される給水配管と、該給水配管を分岐する分岐部と、該分岐部の下流側でしかも分岐された配管に設けた熱源と、該熱源の下流側の給湯配管と、該給湯配管に接続され、前記給水配管と合流する混合器部と、該混合器部の下流に位置し、前記記混合器部によって混合された混合水が吐水する末端水栓に至る混合水配管と、を有する給水システムにおいて、前記混合器部に湯量を調整する給湯流量調整手段を有することを特徴とする給水システム【選択図】  図１
2004183390.tif 000002
【特許請求の範囲】
【請求項１】
水が供給される給水配管と、該給水配管を分岐する分岐部と、該分岐部の下流側でしかも分岐された配管に設けた熱源と、該熱源の下流側の給湯配管と、該給湯配管に接続され、前記給水配管と合流する混合器部と、該混合器部の下流に位置し、前記記混合器部によって混合された混合水が吐水する末端水栓に至る混合水配管と、を有する給水システムにおいて、前記混合器部に湯量を調整する給湯流量調整手段を有することを特徴とする給水システム。
【請求項２】
前記混合器から前記吐水口までの混合水通水路中に前期混合水の流量を調整する混合水流量調整手段を有することを特徴とする請求項１記載の給水システム。
【請求項３】
前記給湯流量調整手段に指示を出す複数の操作部を前記給湯流量調整手段と別体で複数有することを特徴とする請求項１乃至請求項２記載の給水システム。
【請求項４】
混合器が給水、給湯配管の分岐部に設置されていることを特徴とする請求項１乃至請求項３記載の給水システム。
【請求項５】
混合器が住宅への水道等の給水を複数の水使用器具それぞれに分岐給水するヘッダー部に配置されていることを特徴とする請求項１乃至請求項４記載の給水システム。
【発明の詳細な説明】
【０００１】
【産業上の利用分野】
本発明は住宅の給水システムに関するものである。
【０００２】
【従来の技術】
従来の給水システムにおける湯水の通水経路ブロック図を図８に示す。
図８は、給湯機で予め高温水を作成し、末端水栓にて適温に混合する例であり、使用者は給湯機の操作部１にて使用する可能性の有る最も高い温度に水温（以下、「設定温度」と称する）を設定する。これにより給湯機２へ制御信号が連絡される。
その後、末端水栓５の流量調整ハンドル４０を開くと、給湯機２より設定温度の高温水が吐出され通湯路である給湯配管４を通って、また、水は通水路である給水配管６を通って末端水栓５に達し、末端水栓５内部で適温に混合され吐水する。この末端水栓５には吐水温度を調整する温度調整ハンドル４１と、図示はしないが、内部に温度調整ハンドル４１と連動して動作する温度調整ユニット４２を有しており、吐水温度がこのハンドルにて設定された温度になるように温度調整ユニット４２が湯水の通水路開度を調整することで混合比を変化させ、設定した温度の混合水が吐出するようになっている。この温度調整ユニット４２は混合水の温度を検知する感温部を有しており、設定温度よりそのときの混合水温度が低い場合には通湯路を広げ通水路を狭め、設定温度よりそのときの混合水温度が高い場合には通湯路を狭め、通水路を広げるようになっている。（例えば特許文献１）
【０００３】
また、別の従来の給水システムにおける給湯の通水経路ブロック図を図９に示す。
図９は、給水配管１６が給湯機１０１の入水口に接続され、給湯機１０１の出湯口には出湯配管１０２の一端が接続され、他端は末端水栓１０３に接続されている。また、操作部１０４が信号線にて給湯機１０１と接続されている。使用する際はまず操作部１０４にて末端水栓１０３から吐水させたい温度を設定する。詳細は図示しないが操作部１０４は１℃単位にて設定できるようになっている。設定の後、末端水栓１０３の開閉バルブを開くと給水配管１６にかかっている水道水元圧力により給湯機１０１に水が流れ込む、詳細は図示しないが、給湯機１０１内で２つに分岐された通水路１、通水路２のうち片方（通水路１とする）に加熱部を有しており、加熱後、通水路２と混合する混合部、混合後の混合水温を検知する温度検知部、温度検知部よりの信号で前記加熱部および混合部を制御する制御部を有している。この制御部が加熱部および混合部を制御することにより、操作部１０４にて設定した温度の混合水が給湯機１０１の出湯口を通り末端水栓１０３より吐出される。このとき、前記混合部の構造は、通水路１（湯）と通水路２（水）の通水路各々に流路断面積を変化させるようになっており、この流量比を変化させることによって混合水温度を制御している。
また、水栓が故障したことを検出して、給湯機からの給湯量を絞ったり（例えば特許文献２）、また水栓が正常に機能する場合のみ給湯機からの給湯を行うことができるようにしたものがある（例えば、特許文献３）。
【０００４】
【特許文献１】
特開２０００−２４０８２８
【特許文献２】
特開平５−３０２７５３
【特許文献３】
特開２０００−１４６２９４
【０００５】
【発明が解決しようとする課題】
しかしながら前記図８の構成では、例えば、給湯機からは約８０度の高温の湯が吐出されるので、末端水栓の温度調整ユニットが万一故障し、通湯路を広げ通水路を狭める状態となった場合、末端水栓より熱湯が吐水され使用者が火傷をする可能性があった。
また、前記図９の構成では、例えば、給湯機１０１の内部の制御部や混合部が故障し、湯通路（通水路１）が全開で水通路（通水路２）が全閉またはほぼ全閉の状態になってしまうと、加熱部にて暖められた高温の湯が末端水栓１０３からそのまま吐出されてしまい、使用者が火傷をする可能性があった。
また、給湯機側で水栓が正常かどうか検出し、水栓が故障した場合に給湯機側で熱湯が出ないようにする場合でも、給湯機の制御回路が故障した場合には熱湯の吐出する可能性がないわけではない。
本発明は従来技術のこれらの課題を解決することを狙い、温度調整ユニットが故障した場合であっても、必ず給水配管より水が供給されるため、末端機器から熱湯が吐水されることのない。
つまり、例えば夏場に給湯機が故障したとしたと仮定した場合に、給湯配管から８０度のお湯が吐出しても、給水配管からは例えば２０度の水が混合するので、約５０度の混合水が吐出する。また、冬には給水温度が夏より低下するのでさらに条件は良くなる。
よって、本発明においては給湯機が故障したとしても熱湯が吐出することがない安全な給水システムを提供することを目的とする。
【０００６】
【課題を解決するための手段】
本発明は前記問題点を解決するため給水システムを、水が供給される給水配管と、該給水配管を分岐する分岐部と、該分岐部の下流側でしかも分岐された配管に設けた熱源と、該熱源の下流側の給湯配管と、該給湯配管に接続され、前記給水配管と合流する混合器部と、該混合器部の下流に位置し、前記記混合器部によって混合された混合水が吐水する末端水栓に至る混合水配管と、を有する給水システムにおいて、前記混合器部に湯量を調整する給湯流量調整手段を有する。さらに、前記混合器から前記吐水口までの混合水通水路中に前期混合水の流量を調整する混合水流量調整手段を有するようにした。さらに、前記給湯流量調整手段に指示を出す複数の操作部を前記給湯流量調整手段と別体で複数有するようにした。さらに混合器が給水、給湯配管の分岐部に設置されているようにした。さらに混合器が住宅への水道等の給水を複数の水使用器具それぞれに分岐給水するヘッダー部に配置した。
【０００７】
【作用】
前記のような構成にしたことにより、万一給湯流量調整手段が故障し、湯量が全開になった場合にも、給水配管中には給水流量調整手段がないため、混合水配管には常時水が流入するので、高温の湯がそのままの温度で吐水口から吐水されることはない。
【０００８】
【発明の実施の形態】
本発明の実施の形態１の説明を行う。
図１は主要構成ブロック図である。
まず、吐水口を有する末端水栓４５近傍にある操作部である吐水温度設定手段１３により、使用者は末端水栓４５から吐水させたい水温を設定する。詳細は図示しないがこの吐水温度設定手段１３には末端水栓から吐水される混合水温度を１℃単位で設定する設定部を有している。吐水温度が設定されるとその情報が信号線にて接続される混合器１４内の制御部４４に伝達される。
つぎに末端水栓４５を開くと、住宅元栓からの水が減圧弁５６を通り熱源２０に入り加熱され、一定温度の湯になって混合器１４に流れ込む。混合器１４内では流れ込んできた湯は流量調整器１０に流れ込む。流量調整器１０を通過した湯は、住宅元栓からの給水管から熱源（例えば、給湯機の熱交換器）２０に入る前に分岐部１５にて分岐された水と混合され、混合水路中に配置された混合水温検知部４３を通過して末端水栓４５から吐水される。
混合水温検知部４３では混合水温を検知しており、その情報を信号線で制御部４４に伝達する。制御部４４ではこの情報を基に熱源２０からの湯が通る流量調整器１０の通湯路断面積を調整し、設定温度より混合水温度が低い時は通湯路断面積を広げ、逆の場合は狭くするというフィードバック制御をしている。また、混合水の流量は末端水栓４５のバルブ開度を調整して流量調整をすることができる。
【０００９】
ここで、万一制御部４４や、流量調整器１０、混合水温検知部４３が故障し、流量調整器１０が全開になった場合でも、湯側のみに流量調整手段があるので、湯温より吐水温度が低くなる。
つまり、分岐部１５にて分岐された水が混合器１４の混合部に達するまでの給水配管中に水の流量調整手段が無いため、混合部にて必ず水が混合される。そのため、吐水口である末端水栓４５から高温の湯のみが吐水されることがない。
また、湯水分岐前に減圧弁５６を設置しているため、水道水圧の変動を受けることがなく末端水栓４５からの吐水量が安定するため使い勝手がよい。
【００１０】
つぎに本発明の実施の形態２として一台の給湯機からの湯を複数の末端水栓に複数の混合器を使用して混合水を通水するシステムの説明を行う。
図３は主要構成ブロック図、図２は混合器４８の内部通水ブロック図、図４は分岐機能をもつヘッダーがケーシング内に収められた分水盤全体図、図５は分水盤の部分拡大図である。
まず、図３において、一台の給湯機２１からの給湯配管が分岐部４７にて分岐され、複数の混合器４８に配管接続されている。また、住宅元栓に接続された給水配管は分岐部４６にて一端が給湯機２１へ、また他端が各混合器４８へ接続されている。また、各末端水栓４５の近傍にある吐水温度設定手段１３は給湯機２１内にある制御部（図示せず）に各々接続され、前記制御部から各混合器４８の内部にある、図２記載の流量調整器１０に接続されている。
図４において、住宅元栓から入水した水は給水入水部２２より分水盤に入り減圧弁５６にて圧力を安定させた後、分岐部４６を通過し、給湯機への流出口２３に接続された給湯機２１に入水し、加熱され高温水が給湯機からの流入口２４から流れ込む。この高温水が図５記載の分岐部４７にて分岐され、流量調整器１０を通過し、前記給水配管から分岐された水と合流部４９にて混合された後、図示しない混合水温検知部を通り、各末端水栓４５に流れ出す。各吐水温度設定手段１３に対する混合器４８の動作は前述した本発明の実施の形態１と同じである。また、混合水の流量は末端水栓４５のバルブ開度を調整して流量調整をすることができる。
【００１１】
ここで、万一流量調整器１０や給湯機２１が故障し、流量調整器１０が全開になった場合でも、湯側にのみ流量調整手段があるので、混合部にて必ず水が流入する。つまり、、吐水口である末端水栓４５から高温の湯のみが吐水されることがなく、湯温より吐水温度が低くなる。
つまり、ヘッダーにて分岐された水の混合器４８の混合部までの給水配管中に水の流量調整手段が無いため、高温の湯のみが吐水されることがない。
また、湯水分岐前に減圧弁５６を設置しているため、水道水圧の変動を受けることがなく末端水栓４５からの吐水量が安定するため使い勝手がよい。
【００１２】
つぎに本発明の実施の形態３の説明を図６を用いて行う。
図６は本発明の実施の形態３の主要構成ブロック図である。
図６において、住宅内の台所、浴室、及び洗面所に末端水栓４５と吐水温度設定手段１３が備えられている。各々の末端水栓４５は同一の混合器４８に並列に配管接続されており、各々の吐水温度設定手段１３は同一の給湯機５０に接続されている。給湯機５０と混合器４８は本発明の第２の実施形態のものと同様であるが、本発明の実施の形態３の給湯機５０内の制御部には前記した台所、浴室及び洗面所に設置された吐水温度設定手段１３からの信号線２９が接続されており、各吐水温度設定手段１３の設定値が異なっている場合には、最後に操作をされた吐水温度設定手段１３の設定値が有効になることが異なっている。このように構成することにより、使用者は住宅の何れの場所からも使用水の水温の選択ができる。
このため、例えば単身世帯の場合等、同時使用することが無いときは給湯機５０と混合器４８は１台でよいためコストを抑えることができる。
【００１３】
ここで、万一流量調整器１０や給湯機５０が故障し、流量調整器１０が全開になった場合でも、湯側にのみ流量調整手段があるため、湯温より吐水温度が低くなる。
つまり、ヘッダーにて分岐された水の混合器４８の混合部までの給水配管中に水の流量調整手段が無いため、混合部にて必ず水が流入し、吐水口である末端水栓４５から高温の湯のみが吐水されることがない。
また、湯水分岐前に減圧弁５６を設置しているため、水道水圧の変動を受けることがなく末端水栓４５からの吐水量が安定するため使い勝手がよい。
【００１４】
つぎに本発明の実施の形態４の説明を図７を用いて行う。
図７は本発明の実施の形態４の主要構成ブロック図である。
図７において、元栓からの給水配管５３と給湯配管５４を通ってきた湯水は管路途中で分岐されており、給水配管５３から分岐されたものがトイレの便器に接続される末端水栓５１に、また台所への給水では給水配管５３に加え、給湯配管５４からも分岐部５５にて分岐され、台所の末端水栓５２に接続される。通常、台所は調理に飲用水を必要とするが、図７では図示しない給湯機は飲料用給湯機ではないため給湯配管の湯を飲用としては使用できない。もし、配管途中で湯水の混合部を設け、混合器の下流部を１本の混合水配管とすると、飲用水が必要になる毎に下流部の混合水配管の滞留水を捨てる必要がある。また、前記分岐５５では台所の末端水栓５２に分岐した給水管及び給湯管の他端が混合器１４に接続されており、混合器１４の下流側は浴室に設置された末端水栓４５に接続されている。また、末端水栓４５の近傍に吐水温度設定手段１３が配置され、混合器１４と信号線２９にて接続されている。ここで、吐水温度設定手段１３及び混合器１４は本発明の実施の形態１と同じであり、吐水温度設定手段１３を操作することで末端水栓４５から吐水される混合水の水温を設定することができる。上記のように構成したため、給湯機や元栓から離れているところに水使用機器がある場合ではその近傍まで湯水各１本の配管でよい。
【００１５】
ここで、万一流量調整器１０や制御部４４が故障し、流量調整器１０が全開になった場合でも、湯側にのみ流量調整手段があるため、湯温より吐水温度が低くなる。
つまり、ヘッダーにて分岐された水の混合器１４の混合部までの給水配管中に水の流量調整手段が無いため、混合部にて必ず水が流入され、吐水口である末端水栓４５から高温の湯のみが吐水されることがない。
【００１６】
尚、本発明における熱源はガスまたは石油給湯機の熱交換器がベストであると考えているが、本発明の技術思想を逸脱しない範囲で種々の変更が可能である。
【００１７】
【発明の効果】
前記のように給水システムを、水が供給される給水配管と、該給水配管を分岐し、配管途中に熱源を有する給湯配管と、前記給湯配管と給水配管に接続され給湯配管及び給水配管中を流れる湯水を混合する混合器と、前記混合器によって混合された混合水が吐水される末端水栓とを有する給水システムにおいて、前記給湯配管中に湯量を調整する給湯流量調整手段を有することを特徴としたので、万一給湯流量調整手段が故障し、湯量が全開になった場合にも、給水配管中には給水流量調整手段がなく常時水が流れるので、高温の湯がそのままの温度で吐水口から吐水されることはなく、より安全な給水システムを実現できる。
【００１８】
さらに、前記混合器から前記吐水口までの混合水通水路中に前期混合水の流量を調整する混合水流量調整手段を有しているので、混合水の吐出量も調整することができ、より安全で使い勝手のよい給水システムを実現できる。
【００１９】
さらに、前記給湯流量調整手段に指示を出す複数の操作部を前記給湯流量調整手段と別体で複数有するので、住宅の各使用場所毎に吐水状態の設定ができ、混合器を共用でき、低コストで給水システムを実現できる。
【００２０】
さらに、混合器が給水、給湯配管の分岐部に設置したので、分岐後の各末端器具による混合器の使用有無にかかわらず分岐までは、給水給湯配管が各々１本でよく、低コストで給水システムを実現できる。
【００２１】
さらに、混合器が住宅への水道等の給水を複数の水使用器具それぞれに分岐給水するヘッダー部に配置したので、混合器を点検することができ、また複数の混合部を備えることも容易になるため、使い勝手のよい給水システムを構成することができる。
【図面の簡単な説明】
【図１】本発明の実施の形態１における主要構成ブロック図
【図２】本発明の実施の形態２における混合器の内部構成ブロック図
【図３】本発明の実施の形態２における主要構成ブロック図
【図４】本発明の実施の形態２における分水盤全体図
【図５】本発明の実施の形態２における分水盤部分拡大図
【図６】本発明の実施の形態３における主要構成ブロック図
【図７】本発明の実施の形態４における主要構成ブロック図
【図８】従来の給水システムの通水経路ブロック図
【図９】従来の給水システムの通水経路ブロック図
【符号の説明】
１  給湯機操作部
２  給湯機
４  給湯配管
５  末端水栓
６  給水配管
１０  流量調整器
１３  吐水温度設定手段
１４  混合器
１５  分岐部
１６  通水配管
２０  熱源
２１  給湯機
２２  給水入水部
２３  給湯機への流出口
２４  給湯機からの流入口
２９  信号線
４０  流量調整ハンドル
４１  温度調整ハンドル
４３  混合水温検知部
４４  制御部
４５  末端水栓
４６  分岐部
４７  分岐部
４８  混合器
４９  合流部
５０  給湯機
５１  末端水栓
５２  末端水栓
５３  給水配管
５４  給湯配管
５５  分岐部
５６  減圧弁
１０１  給湯機
１０２  出湯配管
１０３  末端水栓
１０４  操作部
【図１】
2004183390.tif 000003
【図２】
2004183390.tif 000004
【図３】
2004183390.tif 000005
【図４】
2004183390.tif 000006
【図５】
2004183390.tif 000007
【図６】
2004183390.tif 000008
【図７】
2004183390.tif 000009
【図８】
2004183390.tif 000010
【図９】
2004183390.tif 000011